(57)【要約】【課題】  フロートが取付部材から外れ難いレバーフロートのレバーとフロートとの連結構造を提供する。【解決手段】  レバーフロート６は液面に応じて浮上降下するフロート３と、第１固着部６２ａがフロート３の内表面に全周溶接６７により固着されるとともに第２固着部６２ｂがフロート３の外表面に全周溶接６８により固着された取付部材６２と、取付部材６２にねじ結合により連結されたボルトからなる連結部材６４と、連結部材６４により座金６５を介して連結部３４ａが取付部材６２に連結されるとともに密閉容器２内に軸３５により揺動可能に取り付けられたレバー３４とによって構成される。【選択図】  図２
2014043944.tif 000002
【特許請求の範囲】
【請求項１】
フロートに固着される第１固着部が形成された取付部材の前記第１固着部がフロートに固着され、
前記取付部材にレバーが連結され、
前記取付部材には前記第１固着部とは別の第２固着部が形成され、
前記第２固着部が前記フロートに固着される
レバーフロートのレバーとフロートとの連結構造。
【請求項２】
前記第１固着部と前記第２固着部の一方は前記フロートの外表面に配され、他方は前記フロートの内表面に配される
請求項１に記載のレバーフロートのレバーとフロートとの連結構造
【請求項３】
前記第２固着部は前記取付部材と一体に形成される
請求項１または２に記載のレバーフロートのレバーとフロートとの連結構造
【請求項４】
前記第２固着部は前記取付部材と別体の第２取付部材に形成され、
前記第２取付部材が前記取付部材に連結される
請求項１または２に記載のレバーフロートのレバーとフロートとの連結構造
【請求項５】
前記第２取付部材は前記レバーを前記取付部材に連結する連結部材である
請求項４に記載のレバーフロートのレバーとフロートとの連結構造。
【発明の詳細な説明】
【技術分野】
【０００１】
本発明は、温水や燃料等の液体を圧送する液体圧送装置、蒸気配管系や圧縮空気配管系やガス配管系に発生するドレンをフロートを用いて自動的に排出するドレントラップ、等に用いられるレバーフロートを構成するレバーとフロートとの連結構造に関するものである。
【背景技術】
【０００２】
従来のレバーフロートにおけるレバーとフロートとの連結構造は、例えば特許文献１に開示されている。これは、フロートの外表面に取付部材を固着し、前記取付部材にレバーを連結したものである。
【先行技術文献】
【特許文献】
【０００３】
【特許文献１】特開２０１０−２４２９２３号公報
【発明の概要】
【発明が解決しようとする課題】
【０００４】
上記従来のレバーフロートでは、ウォータハンマー等によりフロートの周りに液体が急激に流入してくると、フロートと取付部材との固着部が破損してフロートが取付部材から外れるおそれがあった。
【０００５】
したがって本発明が解決しようとする課題は、フロートが取付部材から外れ難いレバーフロートのレバーとフロートとの連結構造を提供することである。
【課題を解決するための手段】
【０００６】
上記の課題を解決するために、本発明のレバーフロートのレバーとフロートとの連結構造は、
フロートに固着される第１固着部を有する取付部材の前記第１固着部をフロートに固着し、
前記取付部材にレバーを連結し、
前記取付部材は前記第１固着部とは別の第２固着部を有し、
前記第２固着部を前記フロートに固着する。
【発明の効果】
【０００７】
本発明によれば、取付部材が第１固着部及び第２固着部を有し、第１固着部及び第２固着部がそれぞれフロートに固着されることにより、ウォータハンマー等によりフロートの周りに液体が急激に流入してきてもフロートが取付部材から外れ難いという効果を奏する。
【図面の簡単な説明】
【０００８】
【図１】本発明の実施の形態に係わる液体圧送装置の断面図である。
【図２】図１のレバーフロートのフロートとレバーとの連結構造の拡大断面図である。
【図３】本発明の別の実施の形態に係わるレバーフロートのフロートとレバーとの連結構造の拡大断面図である。
【図４】本発明の別の実施の形態に係わるレバーフロートのフロートとレバーとの連結構造の拡大断面図である。
【発明を実施するための形態】
【０００９】
以下、本発明の実施の形態について、図１乃至図２を参照して説明する。図１は液体圧送装置の断面図であり、図２は図１のレバーフロートのフロートとレバーとの連結構造の拡大断面図である。本実施の形態の液体圧送装置１は密閉容器２内にレバーフロート６と切替え弁４及びスナップ機構５が配されたものである。密閉容器２は本体部７と蓋部８が図示しないネジによって結合され、内部に液体溜空間１０が形成されたものである。蓋部８には作動流体導入口１１，作動流体排出口１３，液体流入口１６，液体排出口１７が設けられている。作動流体導入口１１の内側に給気弁１８が取り付けられ、作動流体排出口１３の内側に排気弁１９が取り付けられている。
【００１０】
給気弁１８は弁ケース２０と球状給気弁体２１及び昇降棒２２とによって構成される。弁ケース２０は軸方向に貫通孔を有し、貫通孔の上部に給気弁口２４が形成されている。弁ケース２０の中間部の周囲壁には給気弁口２４と密閉容器２内方側とを連通する４つの開口２６が設けられている。球状給気弁体２１は給気弁口２４の作動流体導入口１１側に位置し、給気弁口２４を貫通する昇降棒２２の上に溶接により固着されている。昇降棒２２の下部は密閉容器２内方側に抜け、連設板２７に当接するようになっている。連設板２７は弁軸操作棒２８に連結され、弁軸操作棒２８はスナップ機構５と連結されている。
【００１１】
排気弁１９は弁ケース２９と排気弁体３０と昇降棒３１とによって構成される。弁ケース２９は軸方向に貫通孔を有し、貫通孔の上部に排気弁口３２があり、排気弁口３２の下から昇降棒３１の上端に保持固定された排気弁体３０が当接して開閉を行うものである。昇降棒３１の下端はピンで弁軸操作棒２８に連結されている。給気弁１８と排気弁１９で切替え弁４が構成され、給気弁１８が開くと排気弁１９は閉じ、給気弁１８が閉じると排気弁１９は開く。
【００１２】
レバーフロート６は密閉容器２内の液面に応じて浮上降下するフロート３と、第１固着部６２ａがフロート３の内表面に全周溶接６７により固着されるとともに第２固着部６２ｂがフロート３の外表面に全周溶接６８により固着された取付部材６２と、取付部材６２にねじ結合により連結されたボルトからなる連結部材６４と、連結部材６４により座金６５を介して連結部３４ａが取付部材６２に連結されるとともに密閉容器２内に軸３５により揺動可能に取り付けられたレバー３４とによって構成される。フロート３は２つの半球殻３ａ，３ｂを溶接３ｃにより固着して製作される。取付部材６２は半球殻３ａと半球殻３ｂを溶接する前に半球殻３ａに内側及び外側から溶接される。
【００１３】
フロート３はレバー３４及び軸３５を介してブラケット３６によって支持され、スナップ機構５は揺動軸３７を介してブラケット３８によって支持されている。ブラケット３６とブラケット３８は図示しないネジによって結合され、密閉容器２の蓋部８に一体的に取り付けられている。レバー３４は板を「Ｕ」字状に曲げ加工して作られたものであり、２枚の板が平行に対向し、曲げ加工された部分３４ａにフロート３が結合されている。レバー３４の他端部には軸４０が取り付けられている。ブラケット３６は「Ｌ」字状をした２枚の板よりなり、軸３５及び軸４１，４２が掛け渡されて連結されたものである。軸３５を中心としてフロート３は回転する。軸４１，４２はそれぞれフロート３の上下限のストッパを兼用している。ブラケット３８も同様に「Ｌ」字状をした２枚の板よりなり、揺動軸３７及び軸４３が掛け渡されて連結されたものである。軸４３は下記の副アーム５２のストッパを兼ねている。
【００１４】
スナップ機構５はフロートアーム５１、副アーム５２、圧縮状態のコイルバネ５４、バネ受け部材５５及びバネ受け部材５６とによって構成される。フロートアーム５１は平行に対向した２枚の板よりなり、２枚の板の左端部には溝５７が設けられている。フロートアーム５１の溝５７にはレバー３４の軸４０が嵌合している。フロートアーム５１は揺動軸３７によって右端部が回転可能に支持されている。そのためフロートアーム５１はフロート３の浮沈に追従し、揺動軸３７を中心として上下に揺動する。フロートアーム５１の右端部は下方に脹れ、その下端部には揺動軸３７と平行な第１の軸５８が掛け渡され、バネ受け部材５５が第１の軸５８によって回転可能に支持されている。
【００１５】
揺動軸３７に副アーム５２の上端部が回転可能に支持されている。副アーム５２は平行に対向した２枚の板よりなり、夫々の板は逆「Ｌ」字状をしている。副アーム５２の下端部には揺動軸３７及び第１の軸５８と平行な第２の軸５９が掛け渡され、バネ受け部材５６が第２の軸５９によって回転可能に支持されている。両バネ受け部材５５，５６の間に圧縮状態のコイルバネ５４が取り付けられている。また副アーム５２の上左端部に軸６０が掛け渡され、弁軸操作棒２８の下端が連結されている。フロートアーム５１には、軸６０の動きを妨げないように、窓６１が開けられている。
【００１６】
次に本実施例の液体圧送装置１の作用について、作動流体として蒸気を用いた場合の一連の動作手順を追うことによって説明する。まず液体圧送装置１の外部配管は作動流体導入口１１が高圧の蒸気源に接続され、作動流体排出口１３は蒸気循環配管に接続される。液体流入口１６は外部から液体溜空間１０に向かって開く逆止弁（図示せず）を介して蒸気使用装置等の負荷に接続され、液体排出口１７は液体溜空間１０から外部に向かって開く逆止弁（図示せず）を介してボイラー等の液体圧送先へ接続される。
【００１７】
本実施例の液体圧送装置１の液体溜空間１０内に復水が無い場合は、図１に示すようにフロート３は底部に位置する。このとき、切替え弁４における給気弁１８は球状給気弁体２１が給気弁口２４を閉じ、排気弁１９は排気弁体３０が排気弁口３２を開いている。そして、蒸気使用装置等の負荷内で復水が発生すると、復水は圧送液体流入口１６から液体圧送装置１に流下して、液体溜空間１０内に溜る。液体溜空間１０内に溜った復水によってフロート３が浮上すると、レバー３４が軸３５を中心に時計回り方向に回転し、レバー３４の回転による軸４０の下方への移動に連動して、フロートアーム５１が揺動軸３７を中心に反時計回り方向に回転し、コイルバネ５４との連結部である第１の軸５８が右方に移動して揺動軸３７と第２の軸５９を結ぶ線に近付き、コイルバネ５４は圧縮変形する。
【００１８】
そしてフロート３が更に上昇し、第１の軸５８が揺動軸３７と第２の軸５９を結ぶ線上に並び、なおもフロート３が上昇して第１の軸５８が揺動軸３７と第２の軸５９を結ぶ線よりも右方に移動すると、コイルバネ５４は急激に変形を回復し、副アーム５２が時計回り方向に回転して第２の軸５９が左方にスナップ移動する。その結果、副アーム５２の軸６０に連結された弁軸操作棒２８が上側に移動し、昇降棒２２と昇降棒３１が上側に移動し、切替え弁４における給気弁１８は球状給気弁体２１が給気弁口２４を開き、排気弁１９は排気弁体３０が排気弁口３２を閉じる。
【００１９】
給気弁１８が開かれて作動流体導入口１１が開放されると、密閉容器２内に高圧蒸気が導入され、内部の圧力が上昇し、液体溜空間１０に溜った復水は、蒸気圧に押されて圧送液体排出口１７から図示しない逆止弁を介して外部のボイラーや廃熱利用装置へ排出される。
【００２０】
復水の排出によって復水溜空間１０内の水位が低下すると、フロート３が降下して、レバー３４が軸３５を中心に反時計回り方向に回転し、レバー３４の回転による軸４０の上方への移動に連動して、フロートアーム５１が揺動軸３７を中心に時計回り方向に回転し、コイルバネ５４との連結部である第１の軸５８が左方に移動して揺動軸３７と第２の軸５９を結ぶ線に近付き、コイルバネ５４は圧縮変形する。
【００２１】
そしてフロート３が更に降下し、第１の軸５８が揺動軸３７と第２の軸５９を結ぶ線上に並び、なおもフロート３が降下して第１の軸５８が揺動軸３７と第２の軸５９を結ぶ線よりも左方に移動すると、コイルバネ５４は急激に変形を回復し、副アーム５２が反時計回り方向に回転して第２の軸５９が右方にスナップ移動する。その結果、副アーム５２の軸６０に連結された弁軸操作棒２８が下側に移動し、昇降棒２２と昇降棒３１が下側に移動し、切替え弁４における給気弁１８は球状給気弁体２１が給気弁口２４を閉じ、排気弁１９は排気弁体３０が排気弁口３２を開く。
【００２２】
本発明の別の実施の形態について、図３乃至図４を参照して説明する。図３は本発明の別の実施の形態に係わるレバーフロートのフロートとレバーとの連結構造の拡大断面図であり、同じく図４は本発明の別の実施の形態に係わるレバーフロートのフロートとレバーとの連結構造の拡大断面図である。以下の実施の形態において、図１乃至図２に対応する部材には図１乃至図２と同じ符号を付して説明を省略する。図３において、レバーフロート６は密閉容器２内の液面に応じて浮上降下するフロート３と、第１固着部６２ａがフロート３の内表面に全周溶接６７により固着された取付部材６２と、取付部材６２にねじ結合により連結されるとともに第２固着部６３ａがフロート３の外表面に全周溶接６９により固着された第２取付部材６３と、取付部材６２にねじ結合されたボルトからなる連結部材６４と、連結部材６４により座金６５を介して連結部３４ａが取付部材６２に連結されたレバー３４とからなる。取付部材６２は半球殻３ａと半球殻３ｂを溶接する前に半球殻３ａに内側から溶接される。
【００２３】
図４において、レバーフロート６は密閉容器２内の液面に応じて浮上降下するフロート３と、第１固着部６２ｃがフロート３の外表面に全周溶接７０により固着された取付部材６２と、取付部材６２にねじ結合により連結されるとともに第２固着部６６ａがフロート３の内表面に溶接７１により固着された第２取付部材６６と、ボルトからなる連結部材を兼ねる第２取付部材６６により座金６５を介して連結部３４ａが取付部材６２に連結されたレバー３４とからなる。取付部材６２は半球殻３ａと半球殻３ｂを溶接する前に半球殻３ａに外側から溶接し、第２取付部材６６は半球殻３ａと半球殻３ｂを溶接する前に半球殻３ａに内側から溶接する。
【産業上の利用可能性】
【００２４】
本発明は、温水や燃料等の液体を圧送する液体圧送装置、蒸気配管系や圧縮空気配管系やガス配管系に発生するドレンをフロートを用いて自動的に排出するドレントラップ、等のレバーフロートに利用することができる。
【符号の説明】
【００２５】
１  液体圧送装置
２  密閉容器
３  フロート
４  切替え弁
５  スナップ機構
６  レバーフロート
１０  液体溜空間
１１  作動流体導入口
１３  作動流体排出口
１６  液体流入口
１７  液体排出口
１８  給気弁
１９  排気弁
２０  弁ケース
２１  球状給気弁体
２２  昇降棒
２４  給気弁口
２８  弁軸操作棒
３０  排気弁体
３２  排気弁口
３４  レバー
６２  取付部材
６２ａ  第１固着部
６２ｂ，  第２固着部
６２ｃ  第１固着部
６３  第２取付部材
６３ａ  第２固着部
６４  連結部材
６６  第２取付部材
６６ａ  第２固着部
【図１】
2014043944.tif 000003
【図２】
2014043944.tif 000004
【図３】
2014043944.tif 000005
【図４】
2014043944.tif 000006